【事件の表示】
　特願２０００−５２６８９４「コンピュータシステム等におけるビデオ処理を改善するための方法及び装置」拒絶査定不服審判事件〔平成１１年　７月　８日国際公開、ＷＯ９９／３４３２０、平成１４年　１月　８日国内公表、特表２００２−５００３９９〕について、次のとおり審決する。
【結　論】
　本件審判の請求は、成り立たない。
【理　由】
１．手続の経緯 
　本願は，１９９８年１２月３１日（パリ条約による優先権主張１９９７年１２月３１日，米国）を国際出願日とする出願であって，平成１９年３月２３日付けで拒絶査定がなされ，これに対し平成１９年７月２日に拒絶査定不服審判が請求され，当審において，平成２２年２月１６日付けで拒絶理由が通知されたものである。 
　
２．本願発明 
　本願の請求項１〜２４に係る発明は，特許請求の範囲の請求項１〜２４に記載された事項により特定されるとおりのものであるところ，請求項１に係る発明（以下，「本願発明１」という。）は，次のとおりのものである。 
「【請求項１】　バス及びグラフィックスサブシステムに接続されるよう構成されたビデオサブシステムで，第１のフィールド及び第２のフィールドのビデオデータを生成するよう構成され，かつ第１のフィールドのビデオデータをグラフィックスサブシステムに，第２のフィールドのビデオデータをバスに転送するよう構成されたビデオサブシステムを具備したことを特徴とするビデオ処理システム。」 
　
３．引用例 
　当審における平成２２年２月１６日付けの拒絶理由通知に引用された，本願優先日前に頒布された刊行物である特開平９−２２４２１６号公報（以下，「引用例１」という。）には，図面とともに以下の技術事項が記載されている。 
（イ）「【００２６】 
【発明の実施の形態】以下，本発明に係る最良の実施の形態について図面を参照して説明する。 
【００２７】図１４は，最良の実施の形態の画像記録再生装置を適応しうるパーソナルコンピュータ等の情報処理装置のハードウェア構成図である。 
【００２８】図１４に示すように，該装置は，ＣＰＵ１と，主記憶２と，補助記憶装置３と，入力装置４と，表示装置５と，画像入力装置６と，画像取り込み装置１２と，圧縮画像再生装置９とを有して構成される。そして，画像入力装置６以外の各構成要素は，バス１０によって接続され，各構成要素間で，必要な情報が伝送可能に構成されている。 
【００２９】また，画像入力装置６は，画像取り込み装置１２に接続され，画像入力装置６から画像取り込み装置１２に映像情報を伝送可能なように構成されている。画像取り込み装置１２は，バスを介して接続されるＣＰＵ１等により構成されるPC等の情報処理装置２１に装着されるか，図２２に示すように画像入力装置６に内蔵される構成とする。尚，図２２に示された画像取り込み装置は，ＣＣＤカメラ５６が内蔵されているほかは図１５に示した画像取り込み装置１２と同様の構成である。」（第６欄第２４〜４５行），
（ロ）「表示装置５は，圧縮された動画像の再生表示等の各種の情報を表示する手段であり，例えば，ＣＲＴ，ＥＬディスプレイ，プラズマディスプレイ，液晶ディスプレイ等によって実現できる。」（第７欄第５〜９行）， 
（ハ）「【００３１】画像入力装置６は，上述した従来技術における画像入力装置２２と同様に，アナログの動画像（映像）を入力する手段であり，ビデオカメラ，ＶＴＲ，テレビジョン，ＴＶチューナー等によって実現される。画像取り込み装置１２は，上記画像入力装置６から入力されるアナログの動画像をデジタル化し，かつデジタル化した動画像を圧縮するための手段である。」（第７欄第１０〜１６行）， 
（ニ）「【００３３】また，ＣＰＵ１は，主記憶２や補助記憶装置３に，予め格納されているプログラムに従って所定の動作を行う。」（第７欄第３１〜３３行）， 
（ホ）「【００４２】バス入出力部６０は，一般的に情報処理装置などで採用されているＰＣＩやＩＳＡなどのバスのプロトコルに従って実現され，バス１０にデータを流したり，バス１０に流れているデータを取得する。」（第８欄第３０〜３３行）， 
（ヘ）「【０１１４】次に，第三の実施の形態について図面を参照して説明する。
【０１１５】第一あるいは第二の実施の形態では，非圧縮画像と圧縮画像とをリアルタイムにかつ同時に取り込むが，非圧縮画像のみをリアルタイムに取り込み，シーンの変化を検出しながら，検出に使った非圧縮画像を圧縮するような構成にしてもよい。この場合，画像記憶装置を適応しうる情報処理装置のハードウェア構成を図１２に示す構成とし，制御手段１０１を図１３に示すように変更（制御手段１０１’）すればよい。 
【０１１６】図１２において，画像圧縮装置１１以外は図１に示す構成要素と同じである。上記画像圧縮装置は，ＣＰＵ１から渡される非圧縮動画像を，例えば，ＭＰＥＧ圧縮して主記憶２あるいは補助記憶装置３に格納するための装置である。 
【０１１７】図１３に示すように，制御手段１０１’は，まず，動画像の取り込みを開始する（ステップ１６１）。具体的には，非圧縮画像取り込み装置７を駆動するためのそれぞれのプログラムを実行し，主記憶２上にワークエリアを確保するなどの，動画像を取得するための準備を行う。 
【０１１８】次に，制御手段１０１’は，画像入力装置６から入力され，非圧縮画像取り込み装置７においてデジタル化された非圧縮画像を取得し，上記ワークエリアに格納する（ステップ１６２）。続いて，非圧縮画像解析手段１０２を起動してシーンが変化したかどうかを検出する（ステップ１６３）。さらに，上記ワークエリアに格納された非圧縮画像を上記画像圧縮装置１１を用いて圧縮する（ステップ１６４）。そして，動画像の取り込みが継続しているならば，ステップ１６２とステップ１６４を繰り返し実行する（ステップ１６５）。
【０１１９】ステップ１６５において，例えば，ユーザからの指示等で動画像の取り込みが終了しているならば，上記画像圧縮装置１１においてＭＰＥＧ圧縮された動画像を取得し，上記ワークエリアあるいは補助記憶装置３に格納する（ステップ１６６）。 
【０１２０】そして，制御手段１０１’は，対応情報生成手段１０３を起動して，シーンが変化した時刻での非圧縮画像と，圧縮動画像における該時刻の画像とを対応づける情報を生成する（ステップ１６７）。 
【０１２１】最後に，圧縮画像再生装置１０４を起動して，例えば，ユーザが指示する時刻からの上記圧縮動画像の再生表示を行い（ステップ１６８），制御手段１０１’の処理が継続しているならば，ステップ１６１に戻り処理を繰り返す（ステップ１６９）。ステップ１６９において，例えば，ユーザからの終了指示等がある場合は，制御手段１０１’の処理を終了する。 
【０１２２】以上，第三の実施の形態によれば，例えば，非圧縮画像取り込み装置７によって画像入力装置６から入力されるデータを奇数フィールドデータと偶数フィールドデータとに分け，奇数フィールドデータをＹＵＶ形式の色フォーマットで主記憶２に転送し，偶数フィールドデータを表示装置５に表示可能な色フォーマットに変換して表示装置５に転送し，さらに，ＹＵＶ形式の奇数フィールドデータを画像圧縮装置１１に入力して圧縮すれば，比較的安価な画像記録再生装置を提供することができる。 
【０１２３】画像圧縮装置１１は従来技術を適用可能であり，従来技術の画像圧縮装置１１は，通常ＹＵＶ形式のデータを入力されるべきものが多い。また，画像圧縮装置１１をソフトウェアで実現すれば，非圧縮動画像を表示装置５に表示しながら，ＹＵＶ形式の色フォーマットのデータを主記憶２に転送する機能は非常に有効である。」（第１９欄第４３行〜第２１欄第６行）， 
（ト）「【０１２６】さらに，上記非圧縮の動画像を上記情報処理装置に取り込む場合，上記画像入力装置から入力されるインターレース信号における奇数フィールドデータと偶数フィールドデータとを，同等のあるいは異なる大きさ及び色フォーマットに変換して，同等のあるいは異なる領域あるいは装置に転送することで，上記情報処理装置が具備する表示装置で上記画像入力装置から入力される動画像をモニタしながら，同時に該動画像を記録することができる。」（第２１欄第１７〜２５行） 
　次に，引用例１の図１２には，「ＣＰＵ１と，主記憶２と，補助記憶装置３と，入力装置４と，表示装置５と，画像入力装置６と，非圧縮画像取り込み装置７と，圧縮画像再生装置９と，画像圧縮装置１１を有し，画像入力装置６以外の各構成要素が，バス１０によって接続された画像記録再生装置のハードウェア構成図」が示されている。 
　
　上記引用例１記載事項及び図面の記載を総合勘案すると，引用例１には，次の発明（以下，「引用例１記載発明」という。）が記載されていると認められる。
　「ＣＰＵ１と，主記憶２と，入力装置４と，表示装置５と，画像入力装置６と，非圧縮画像取り込み装置７とを有し，画像入力装置６以外の各構成要素が，バス１０によって接続され， 
　非圧縮画像取り込み装置７によって画像入力装置６から入力されるデータを奇数フィールドデータと偶数フィールドデータとに分け，奇数フィールドデータを主記憶２に転送し，偶数フィールドデータを表示装置５に転送することができる情報処理装置。」 
　
４．対比 
　引用例１記載発明の「表示装置５」が，本願発明１の「グラフィックスサブシステム」に相当する。
　次に、引用例１記載発明の「画像入力装置６」及び「非圧縮画像取り込み装置７」が，本願発明１の「ビデオサブシステム」に相当する。
　そして，引用例１記載発明の「非圧縮画像取り込み装置７」は，「バス１０」に接続されるとともに，該「バス１０」を介して「表示装置５」に接続されているから，かかる接続のなされた引用例１記載発明の「画像入力装置６」及び「非圧縮画像取り込み装置７」と，本願発明１の「バス及びグラフィックスサブシステムに接続されるよう構成されたビデオサブシステム」とは，バス及び最終的にグラフィックスサブシステムに接続されるよう構成されたビデオサブシステムである点で一致する。
　次に，引用例１記載発明の「画像入力装置から入力されるデータ」が，本願発明１の「ビデオデータ」に相当する。 
　次に，引用例１記載発明の「画像入力装置から入力されるデータ」から生成される「偶数フィールドデータ」及び「奇数フィールドデータ」が，それぞれ本願発明１の「第１のフィールドのビデオデータ」及び「第２のフィールドのビデオデータ」に相当する。 
　次に，引用例１記載発明において，「偶数フィールドデータ」は，「バス１０」を介して「表示装置５」に転送されているから，引用例１記載発明の「偶数フィールドデータを表示装置５に転送する」と，本願発明１の「第１のフィールドのビデオデータをグラフィックスサブシステムに転送する」とは，第１のフィールドのビデオデータを，最終的にグラフィックスサブシステムに転送する点で一致する。 
　次に，引用例１記載発明では，「奇数フィールドデータを主記憶２に転送し」ているが，該「主記憶２」は「バス１０」に接続されているから，引用例１記載発明は、「奇数フィールドデータ」を「バス１０」に「転送」しているといえる。 
　次に，引用例１記載発明の「情報処理装置」は，画像入力装置６から入力されるデータ、すなわちビデオデータを処理しているから、「ビデオ処理システム」といえる。 
　
　すると，本願発明１と，引用例１記載発明とは，次の点で一致する。
（一致点） 
　バス及び最終的にグラフィックスサブシステムに接続されるよう構成されたビデオサブシステムで，第１のフィールド及び第２のフィールドのビデオデータを生成するよう構成され，かつ第１のフィールドのビデオデータを，最終的にグラフィックスサブシステムに，第２のフィールドのビデオデータをバスに転送するよう構成されたビデオサブシステムを具備したことを特徴とするビデオ処理システム。
　
　一方で，両者は，次の点で相違する。
＜相違点＞　 
　本願発明１では，ビデオサブシステムがグラフィックスサブシステムに接続され，第１のフィールドのビデオデータをグラフィックスサブシステムに転送しているのに対し，引用例１記載発明では，「画像入力装置６」及び「非圧縮画像取り込み装置７」（ビデオサブシステム）が，バス１０を介して，表示装置５（グラフィックスサブシステム）に接続され，偶数フィールドデータ（第１のフィールドのビデオデータ）を，バス１０を介して，表示装置５（グラフィックスサブシステム）に転送している点。 
　
５．判断
　そこで，上記相違点について検討すると，当審における拒絶理由通知で引用された特開平９−２３３４５３号公報第【００２０】段落に，「ビデオ・ボード３４は，先に説明したようにビデオ・キャプチャ機能を具備し，取り込んだビデオ・データをビットマップ・ディスプレイ３５に供給して映像表示させるだけでなく，バス３８を介してＣＰＵ２２にも供給する。」と記載され，また，当審における拒絶理由通知において周知例として示した特開平９−２３７１６６号公報第【０００５】段落に，「最近では，ＺＶ（Ｚｏｏｍｅｄ  Ｖｉｄｅｏ）ポートと称する動画専用のバスを使用して，ＰＣカードとディスプレイコントローラとを直接接続する技術が開発され始めている。ＺＶポートは，システムバスを使用することなく，ＰＣカードがディスプレイコントローラ／オーディオコントローラにビデオ／オーディオデータを直接出力することを可能にする。」と記載され，特開平９−４４２７０号公報第【００３０】段落に，「上記データ入出力ポートＰＡより入力された，ＭＰＥＧエンコーダ３１で圧縮処理されたビデオデータをシステムバス１０に送出制御するとともに，ＺＶポート（ＮＴＳＣデータ入力ポート）ＰＢより入力された，ＭＰＥＧエンコーダ３１で圧縮処理される前のビデオデータを表示コントローラ１６に出力制御して，ＭＰＥＧエンコーダカード３によるエンコード時のビデオデータを装置内に取り込む際に，そのライブデータを同時表示制御する。」と記載され，さらに，Ｎｅｗ　ＰＣ　Ｃａｒｄ　Ｓｔａｎｄｅｒｄの最新動向，日経バイト，第１４０号，１９９５年７月１日，ｐ．２４０〜２４８の「ＰＣ　Ｃａｒｄ　ＺＶ　Ｐｏｒｔとは」欄に，「ＺＶ　Ｐｏｒｔとは，ＰＣ　ＣａｒｄとＶｉｄｅｏコントローラを直接つなげて，ＰＣＩバスやＣＰＵを介さずにＰＣカードからＶｉｄｅｏコントローラのＶＧＡのフレームバッファにデータを送るバスである。」（第２４２頁右欄第２〜７行），「ビデオキャプチャＰＣカードから入力される動画情報をＰＣＩＣ（当審注：「ＰＣ　Ｃａｒｄ　Ｉｎｔｅｒｆａｃｅ　Ｃｏｎｔｒｏｌｌｅｒ」の略語）からＰＣＩへ送りデータ処理を行うと同時に直接Ｖｉｄｅｏコントローラにも送ることができるため，現在キャプチャしている内容をモニターで確認することができる。」（第２４２頁右欄第１３〜１９行）と記載されているように，ビデオ・データ取り込み部を，システムバスを介さずに，表示部に接続し，取り込んだビデオ・データを，システムバスを介さずに，該表示部に送ることは，本願優先日前において、周知技術である。
　よって，引用例１記載発明において，かかる周知技術を適用し，「画像入力装置６」及び「非圧縮画像取り込み装置７」（ビデオサブシステム）を，バス１０を介して，表示装置５（グラフィックスサブシステム）に接続することに代え，バス１０を介さずに，表示装置５（グラフィックスサブシステム）に接続するようにし，偶数フィールドデータ（第１のフィールドのビデオデータ）を，バス１０を介して，表示装置５（グラフィックスサブシステム）に転送することに代え，バス１０を介さずに，表示装置５（グラフィックスサブシステム）に転送するようになすことは，当業者が容易になし得たことである。
　また，本願発明１の作用効果も，引用例１に記載された発明及び周知技術より，当業者が予測しうるものである。
　
　よって，本願発明１は，引用例１に記載された発明及び周知技術に基づいて当業者が容易に発明をすることができたものである。 
　
６．むすび
　以上のとおり，本願の請求項１に係る発明は，特許法第２９条第２項の規定により，特許を受けることができないものである。
　したがって，その余の請求項について論及するまでもなく，本願は拒絶すべきものである。
　よって，結論のとおり審決する。